(57)【特許請求の範囲】
【請求項１】
主信号に同期符号を付加し、同期符号と主信号を合わせて非組織符号である多項式Ｇ１３３，１７１により畳み込み符号化を行って伝送する同期方式による伝送信号を受信する際、同期符号として１６進数の１Ｂ９５ｈが用いられているとき、前記伝送信号の受信信号から畳み込み符号化後の符号の３２ビットの信号のうち後ろ２０ビットから１６進数のＥＣＤ２８ｈを検出し、この検出結果に基づいて同期を判定することを特徴とする受信方法。
【請求項２】
主信号に同期符号として１６進数の１Ｂ９５ｈを付加し、同期符号と主信号を合わせて非組織符号である多項式Ｇ１３３，１７１により畳み込み符号化を行って伝送する伝送システムに用いられ、この伝送信号を受信する受信装置であって、
前記受信された伝送信号から畳み込み符号化後の符号の３２ビットの信号のうち後ろ２０ビットから１６進数のＥＣＤ２８ｈを検出する検出手段と、
この検出手段の検出結果に基づいて同期を判定する同期判定手段とを具備することを特徴とする受信装置。
【発明の詳細な説明】
【０００１】
【発明の属する技術分野】
本発明は、例えばデジタル放送に用いられ、同期符号と主信号を合わせて誤り訂正符号化して伝送される信号を受信する受信装置に関する。
【０００２】
【従来の技術】
近年、デジタル方式による衛星テレビジョン放送が実現化し普及しつつあるが、伝送路数の制限から、時分割多重による階層伝送の必要性が生じてきている。
【０００３】
ここで、時分割多重化伝送にあっては、時分割での変調方式が変えられるような場合、フレーム構造を認識しないと正しく復調できないため、同期判定が必須となる。
【０００４】
また、デジタル伝送では、伝送路の変化や伝送特性の向上といった観点から誤り訂正が必須であるが、中でも誤り訂正回路の動作のしやすさといった観点などから、同期符号を含めた誤り訂正符号化する方式が考えられる。
【０００５】
但し、誤り訂正符号化によって同期符号が変化してしまう場合、同期性能が劣化する可能性がある。そのため、従来のデジタル伝送では、結局、同期部分には符号化を施さないなどの処理を行っている。
【０００６】
【発明が解決しようとする課題】
以上述べたように、従来のデジタル伝送にあっては、主信号に同期符号を付加した場合、同期符号を合わせて誤り訂正符号化すると、同期化処理の性能劣化が問題となる。
【０００７】
本発明は、上記の問題を解決し、主信号に同期符号を付加してデジタル伝送する際に、同期符号を合わせて誤り訂正符号化しても、同期化処理の性能劣化を抑圧し、同期化処理の性能と誤り訂正処理能力を共に満足させることのできる同期方式によるデジタル伝送信号を受信する受信装置を提供することを目的とする。
【０００８】
【課題を解決するための手段】
上記の目的を達成するために本発明に係る受信方法は、主信号に同期符号を付加し、同期符号と主信号を合わせて非組織符号である多項式Ｇ１３３，１７１により畳み込み符号化を行って伝送する同期方式による伝送信号を受信する際、同期符号として１６進数の１Ｂ９５ｈが用いられているとき、前記伝送信号の受信信号から畳み込み符号化後の符号の３２ビットの信号のうち後ろ２０ビットから１６進数のＥＣＤ２８ｈを検出し、この検出結果に基づいて同期を判定することを特徴とする。
【０００９】
また、本発明に係る受信装置は、主信号に同期符号として１６進数の１Ｂ９５ｈを付加し、同期符号と主信号を合わせて非組織符号である多項式Ｇ１３３，１７１により畳み込み符号化を行って伝送する伝送システムに用いられ、この伝送信号を受信する受信装置であって、前記受信された伝送信号から畳み込み符号化後の符号の３２ビットの信号のうち後ろ２０ビットから１６進数のＥＣＤ２８ｈを検出する検出手段と、この検出手段の検出結果に基づいて同期を判定する同期判定手段とを具備することを特徴とする。
【００１０】
【発明の実施の形態】
以下、図面を参照して本発明の実施の形態を詳細に説明する。
【００１１】
図１は本発明に係る同期方式を用いたシステム構成を示すものである。まず、送信装置側において、同期符号多重部１１は伝送する主信号Ｓ１及び同期符号Ｓ２を図２に示すフレーム構造に従って時分割に多重化する。誤り訂正符号化部１２は同期符号多重部１１で得られた同期符号＋主信号に対し、誤り訂正を施す。変調部１３は誤り訂正符号化部１２で誤り訂正符号化された信号を、同期符号や主信号の部分に応じて変調方式を変えながらＰＳＫ、ＱＡＭ等の変調処理を施し、伝送する。
【００１２】
一方、受信装置側において、復調部２１では、信号処理が可能なように復調動作を行い、信号成分を摘出する。同期検出部２２は復調部２１で摘出された信号のうち、同期符号もしくは同期符号の差分をとったものを検出する。同期判定部２３は、同期検出部２２で検出された信号が同期信号であるか否かの判定を行い、フレーム構造を再現して復調部２１に戻す。
【００１３】
尚、同期検出部２２では、同期符号は誤り訂正後の一意となる部分を利用して同期検出を行う。この際、同期符号Ｓ２には、誤り訂正符号化後の信号で一意となる部分が相関の高い符号となるものを選択することにより、誤った同期検出を行うことを低減させることが可能となる。
【００１４】
図２に示す同期符号＋主信号のフォーマットにおいて、同期符号、主信号に連続して誤り訂正をかける場合、誤り訂正の種類によっては元の信号成分が残らず、同期判定が困難になる。以下に誤り訂正符号化方式の種類について説明する。
【００１５】
まず、ブロック符号などには、組織符号（元の信号＋訂正用符号が付加されたもの）が多いが、特に畳み込み符号の中には、非組織符号（元の信号とは同一ではない）が多いため、符号化前に相関が高く選ばれていても、符号化後の同期符号の相関が高いという補償はない。
例）組織符号（例えばブロック符号）
１３５Ａｈ→１３５Ａ７９３２ｈ（＝前半部分は同一符号）
非組織符号（例えば畳み込み符号）
１Ｂ９５ｈ→×××ＥＣＤ２８ｈ（×××は不定、一致部分なし）
図３に同期符号＋ヘッダ＋主信号の多重化フォーマットの一例を示す。図に示すように、特に同期符号化後に各変調方式を示すヘッダ情報を含む場合や、変調方式が時分割されて多重化され、その変調方式に応じた復調動作を行う場合など、同期を確立してからではないと誤り訂正そのものが動作しない。このため、同期判定を誤り訂正前に行う必要があるが、同期符号が誤り訂正符号化されているため、符号化された信号では同期性能が保証されないという問題が発生する。
【００１６】
相関性の低い同期符号により同期をかけると、引き込み時に疑似同期と同期はずれを繰り返すことで、引き込み時間の増大、不安定な同期引き込みが発生し、データ再生が見込めない。
【００１７】
そこで、本発明の同期方式では、同期符号として、相関性の高い符号を選択するだけでなく、誤り訂正符号化処理後のうち、前後の信号によらず一意となる部分の符号で、誤り訂正符号化処理前後で自己相関性のある符号を選択する。これにより、同期性能を改善することが可能となる。
【００１８】
この場合、受信装置における復調処理では、その一意となる既知部分の検出により、訂正動作を行うことなく、同期判定が可能となり、さらには復調動作に反映させることで、復調動作をも安定させることが可能となる。これらは勿論、図３に示すように同期符号が一つとは限らず、複数の場合にも全く同様に適用が可能である。
【００１９】
ここで、自己相関について、例をあげて説明する。
【００２０】
例として、８ビットの符号の相関を考えた場合、符号を巡回符号（ずらした時に一巡して、後ろのビットを前にもってくる）とみなし、自分自身とずらしたビット列を比較し、一致するビット数をカウントする。例として８ビットの１１１０１０１１符号列について図４に示す。
【００２１】
この場合、同一するビットは８ビット中４ビットとなり、これが少なければ少ないほど同期がずれている（正しくない）と判定できるため、誤同期の可能性が低くなる。したがって、自分自身がずらしたビット系列の一致するビット数が少ないビット列が同期符号として好ましい。
【００２２】
自分自身を除く、８−１＝７ビットずらし量全てについて、同様の操作を行い、一致するビット数をカウントし、その少ないものを自己相関の高い符号とみなす。
【００２３】
同期符号１Ｂ９５ｈ（１６ビット）を多項式Ｇ１３３，１７１で畳み込み符号化すると、符号化により、×××ＥＣＤ２８ｈ（３２ビット）符号となる。但し、畳み込み符号化は前後のデータ列の値により、一部の値が不確定となる（上記×××部分）。そのため、前後の符号によらず、一意となるＥＣＤ２８ｈ（２０ビット）の部分だけについて着目する。
【００２４】
そこで、本発明である１Ｂ９５ｈの畳み込み符号化後の一意となる符号ＥＣＤ２８ｈについて解析したところ、１，２，１０，１８，１９ビットずれの時、一致する符号は８ビット、それ以外では１０ビットとなり、誤同期を起こしにくい、高い相関性があることが検証された。
【００２５】
【発明の効果】
以上述べたように、本発明によれば、主信号に同期符号を付加してデジタル伝送する際に、同期符号を合わせて誤り訂正符号化しても、同期化処理の性能劣化を抑圧し、同期化処理の性能と誤り訂正処理能力を共に満足させることのできる同期方式によるデジタル伝送信号を受信する受信装置を提供することができる。
【図面の簡単な説明】
【図１】本発明に係る同期方式を用いたシステムの一実施形態を示すブロック図。
【図２】本発明の伝送フォーマットの一例を示す図。
【図３】本発明の他の伝送フォーマットの一例を示す図。
【図４】本発明の同期方式における自己相関について説明するための図。
【符号の説明】
１１…同期符号多重部、１２…誤り訂正符号化部、１３…変調部、２１…復調部、２２…同期検出部、２３…同期判定部。
【図１】
0003545752.tif 000002
【図２】
0003545752.tif 000003
【図３】
0003545752.tif 000004
【図４】
0003545752.tif 000005